(57)【要約】【課題】簡単な構成にすることができると共に、コンパクトに構成することができる校正基準器を提供する。【解決手段】読取媒体（原稿）の画像を読み取るラインセンサー方式のイメージセンサー４１を備えたスキャナーユニット３に設けられ、スキャナーユニット３のイメージセンサー４１の校正を行うための校正基準器５７であって、イメージセンサー４１の色校正処理を行うための色基準部１２１と、イメージセンサー４１の位置校正処理を行うための位置基準部１２２と、を一体に有する校正基準板１１１を備えた。【選択図】図８
2012109703.tif 000002
【特許請求の範囲】
【請求項１】
読取媒体の画像を読み取る読取手段を備えた画像読取装置に設けられ、前記読取手段の校正を行うための校正基準器であって、
前記読取手段の色校正を行うための色基準部と、前記読取手段の位置を校正するための位置基準部と、を一体に有する校正基準板を備えたことを特徴とする校正基準器。
【請求項２】
前記校正基準板は、前記読取手段の長さに対応する長さを有して、帯状に形成されていることを特徴とする請求項１に記載の校正基準器。
【請求項３】
前記位置基準部は、前記読取手段の位置を校正するための位置基準となるマーク部を有していることを特徴とする請求項１または２に記載の校正基準器。
【請求項４】
前記マーク部を除いた前記校正基準板の表面全域が、前記色基準部と同色に彩色されていることを特徴とする請求項３に記載の校正基準器。
【請求項５】
前記マーク部は、前記校正基準板の一部を除去して形成されていることを特徴とする請求項３または４に記載の校正基準器。
【請求項６】
前記マーク部の背面側に添設され、前記位置基準部の背景色に対しコントラストを強調する色となるように前記マーク部を彩色するコントラストシートを、更に備えたことを特徴とする請求項５に記載の校正基準器。
【請求項７】
前記色基準部は、白色に彩色されていることを特徴とする請求項１ないし６のいずれかに記載の校正基準器。
【請求項８】
請求項１ないし７のいずれかに記載の校正基準器と、
読取媒体の画像を読み取る読取手段と、
前記読取手段を走査方向に移動させる移動手段と、を備え、
前記校正基準器は、前記画像を読み取る読取エリアから前記走査方向の外側に外れた退避エリアに配設されていることを特徴とする画像読取装置。
【請求項９】
請求項８に記載の画像読取装置と、
記録媒体に画像を記録する画像記録装置と、を一体に備えたことを特徴とする複合機。
【発明の詳細な説明】
【技術分野】
【０００１】
本発明は、読取媒体の画像を読み取る読取手段を備えたスキャナー等の画像読取装置に設けられ、読取手段の校正を行うための校正基準器並びに、これを備えた画像読取装置および複合機に関するものである。
【背景技術】
【０００２】
従来、画像読取装置として、原稿を光学的に読み取る画像読取部と、画像読取部を移動させる移動部と、画像読取エリアから走査方向に外れた退避エリアで、画像読取部に対面する基準位置特定プレートと、基準位置特定プレートに隣接して配設され、退避エリアで画像読取部に対面する白基準板と、を備えたものが知られている（特許文献１参照）。画像読取装置は、その画像読取部により、基準位置特定プレートのマークを撮像して画像読取部の位置校正を行うと共に、白色基準板を撮像して画像読取部の色校正を行うようにしている。
【先行技術文献】
【特許文献】
【０００３】
【特許文献１】特開２００８−２２７９７１号公報
【発明の概要】
【発明が解決しようとする課題】
【０００４】
しかしながら、このような従来の構成では、校正のための色基準および位置基準となる部材（以下、校正基準器）として、位置校正用の校正基準板（基準位置特定プレート）と、色校正用の校正基準板（白色基準板）と、別個に設けているため、校正基準器の配設エリアが大きくなってしまうという問題があった。特に、マークを切り抜いて形成した位置校正用の校正基準板は、所定の剛性を持たせるべく走査方向前後に余白を配する必要であり、これが、配設エリアが走査方向に大きくなってしまう要因の１つとなっている。配設エリアが大きくなると、校正基準器を配設する部材（例えば原稿押えの支持枠）が大型化し、装置全体が大型化してしまうという問題がある。また、位置校正用の校正基準板と色校正用の校正基準板とをそれぞれ設けることで、部品点数および組付け工数が増大する問題もあった。
【０００５】
本発明は、簡単且つコンパクトに構成することができる校正基準器並びに、これを備えた画像読取装置および複合機を提供することを課題としている。
【課題を解決するための手段】
【０００６】
本発明の校正基準器は、読取媒体の画像を読み取る読取手段を備えた画像読取装置に設けられ、読取手段の校正を行うための校正基準器であって、読取手段の色校正を行うための色基準部と、読取手段の位置を校正するための位置基準部と、を一体に有する校正基準板を備えたことを特徴とする。
【０００７】
この構成によれば、校正基準板が、色基準部および位置基準部を一体に有していることにより、位置校正用と色校正用との２枚の校正基準板を必要とせず、校正基準器を、単一の校正基準板で構成することができる。特に、剛性のために位置校正用の校正基準板に形成されていた走査方向前後の余白を省略することができる。ゆえに、校正基準器をコンパクトにすることができ、その配設エリアを小さくすることができる。よって、校正基準器を配設する部材および装置全体をコンパクトにすることができる。また、校正基準器を、単一の校正基準板で構成することができるため、部品点数および組付け工数を削減することができる。
【０００８】
この場合、校正基準板は、読取手段の長さに対応する長さを有して、帯状に形成されていることが好ましい。
【０００９】
この構成によれば、校正基準板に対し、読取手段全体を同時に対面させることができるため、読取手段全体で色校正することができる。よって、色校正を効果的に行うことができる。
【００１０】
この場合、位置基準部は、読取手段の位置を校正するための位置基準となるマーク部を有していることが好ましい。
【００１１】
この構成によれば、読取手段によりマーク部を読み取ることで、読取手段の位置校正を行うことができる。
【００１２】
この場合、マーク部を除いた校正基準板の表面全域が、色基準部と同色に彩色されていることが好ましい。
【００１３】
色基準部の表面は、基準色に彩色する必要がある。一方、位置基準部の表面は、マーク部との境界線を明示するため、マーク部周りに背景色を彩色する必要がある。
これに対し、上記構成によれば、位置基準部を含む校正基準板の表面全域が、色基準部と同色に彩色されているため、色基準部に対する基準色の彩色と、位置基準部に対する背景色の彩色とを一体で行うことができる。ひいて言えば、色基準部と位置基準部とを一体として成形することができる。よって、製造工程を簡易化することができる。
【００１４】
この場合、マーク部は、校正基準板の一部を除去して形成されていることが好ましい。
【００１５】
この構成によれば、マーク部を、校正基準板の一部を除去して形成することにより、例えば、マーク部を印刷する場合などに比べ、マーク部の形成を簡易化することができる。なお、一部を除去して形成する方法としては、射出成形の際に予め当該部分が除去されるように成形するものであっても良いし、校正基準板から切り抜くものであっても良い。
【００１６】
この場合、マーク部の背面側に添設され、位置基準部の背景色に対しコントラストを協調する色となるようにマーク部を彩色するコントラストシートを、更に備えたことが好ましい。
【００１７】
この構成によれば、一部除去して形成したマーク部を彩色するコントラストシートを設けることで、背景色とマーク部とのコントラストを向上することができる。よって、背景とマーク部との境界線をより明確に表示することができ、位置校正の精度を向上することができる。なお、「コントラストを強調する色」として、例えば、背景色に対する補色や、白色（高反射率）に対する黒色（低反射率）等が考えられる。
【００１８】
この場合、色基準部は、白色に彩色されていることが好ましい。
【００１９】
この構成によれば、色基準部を、反射率が極端に高い白色に彩色し、これを基準色とすることで、色校正の精度を向上することができる。
【００２０】
本発明の画像読取装置は、上記の校正基準器と、読取媒体の画像を読み取る読取手段と、読取手段を走査方向に移動させる移動手段と、を備え、校正基準器は、画像を読み取る読取エリアから走査方向の外側に外れた退避エリアに配設されていることを特徴とする。
【００２１】
この構成によれば、簡単且つコンパクトに構成することができる校正基準器を用いることで、画像記録装置を小型化することができる。
【００２２】
本発明の複合機は、上記の画像読取装置と、記録媒体に画像を記録する画像記録装置と、を一体に備えたことを特徴とする。
【００２３】
この構成によれば、小型化可能な画像読取装置を用いることで、小型の複合機を提供することができる。
【図面の簡単な説明】
【００２４】
【図１】実施形態に係る複合機を示した外観斜視図である。
【図２】スキャナーユニットを開放状態とした複合機を示した斜視図である。
【図３】プリンターユニットの内部構造を示した平面図である。
【図４】プリンターユニットの内部構造を示した側面視断面図である。
【図５】複合機を示した側面視断面図である。
【図６】スキャナーユニットの内部構造を示した斜視図である。
【図７】上蓋を下方から見上げた下面図である。
【図８】校正基準器周りを示した下面図である。
【図９】校正基準器周りを示した側面簡略図である。
【図１０】センサーユニットと校正基準板との位置関係を示した斜視図である。
【発明を実施するための形態】
【００２５】
以下、添付した図面を参照して、本発明の一実施形態に係る校正基準器を備えた複合機について説明する。図１は、複合機１を示した外観斜視図である。図１に示すように、複合機１は、装置本体であるプリンターユニット（画像記録装置）２と、プリンターユニット２の上部に配設され校正基準器５７を有するスキャナーユニット（画像読取装置）３と、を一体に備えている。スキャナーユニット３は、後端部のヒンジ部４を介してプリンターユニット２に回動自在に支持されており、プリンターユニット２の上部を開閉自在に覆っている。なお、以下、図１においての前後方向をＸ軸方向とし、左右方向をＹ軸方向として説明する。
【００２６】
図２は、スキャナーユニット３を開放状態とした複合機１を示した斜視図である。図２に示すように、プリンターユニット２は、枚葉の記録媒体（印刷用紙や単票紙）を送り経路Ｒに沿って送る搬送部６１と、送り経路Ｒの上方に配設され、記録媒体にインクジェット方式で印刷処理を行う印刷部６２と、前面に配設されたパネル形式の操作部６３と、搬送部６１、印刷部６２および操作部６３を搭載した装置フレーム６４と、これらを覆う装置ハウジング６５と、を備えている。また、図示省略するが、後面下部には、ＵＳＢポートおよび電源ポートが配設されている。すなわち、複合機１は、ＵＳＢポートを介してコンピューター等に接続可能に構成されている。
【００２７】
図３は、プリンターユニット２の内部構造を示した平面図である。図４は、プリンターユニット２の内部構造を示した側面視断面図である。図２ないし図４に示すように、印刷部６２は、装置フレーム６４に支持されると共にＹ軸方向に幅一杯に延在する板金製のガイドフレーム７１と、ガイドフレーム７１に往復動自在に支持されたキャリッジユニット７２と、キャリッジユニット７２をガイドフレーム７１に沿って往復動させるキャリッジ移動機構７３（図２参照）と、を備えている。そして、このキャリッジユニット７２に、インクジェットヘッド８３が搭載されている。
【００２８】
ガイドフレーム７１は、断面「Ｃ」字状に形成されており、その上下でキャリッジユニット７２の係合スライダー部８１ａが係合する。これにより、キャリッジユニット７２は、ガイドフレーム７１に掛け止めされるようにして片持ちで且つ延在方向（Ｙ軸方向）に往復動自在に、すなわちスライド自在に支持されている。キャリッジ移動機構７３は、ガイドフレーム７１に沿って延在するタイミングベルト７６と、タイミングベルト７６を架け渡した主動プーリ（図示省略）および従動プーリ７８と、タイミングベルト７６とキャリッジユニット７２（キャリッジ８１）とを連結する連結固定部（図示省略）と、主動プーリを駆動するキャリッジモーター（図示省略）と、を備えている。キャリッジモーターが正逆回転すると、タイミングベルト７６を介してキャリッジユニット７２がＹ軸方向（左右方向）に往復動する。この往復動に伴って、キャリッジユニット７２のインクジェットヘッド８３が吐出駆動することにより、いわゆる主走査が行われる。
【００２９】
図３および図４に示すように、キャリッジユニット７２は、係合スライダー部８１ａを介してガイドフレーム７１に往復動自在に支持された箱状のキャリッジ８１と、キャリッジ８１の下面に一体に組み込まれたインクジェットヘッド８３と、キャリッジ８１に着脱自在に収納された４個のインクカートリッジ８４と、を備えている。インクジェットヘッド８３は、４色のインク滴を吐出する４連のノズル列（図示省略）を有しており、４色のインクを貯留する４個のインクカートリッジ８４をキャリッジ８１に装着することで、インクジェットヘッド８３に上側から直接接続される。インクジェットヘッド８３の４つのノズル列は、相互に並行に且つＸ軸方向に延在し、送られる記録媒体に対し所定のペーパーギャップを存して下向きに配設されている。
【００３０】
図４に示すように、搬送部６１は、記録媒体を右揃えでセットする可動式の用紙トレイ９１と、用紙トレイ９１から記録媒体を１枚ずつ分離して送り出す分離ローラー９２と、分離ローラー９２の下流側に位置し、記録媒体を送り経路Ｒに沿って印刷部６２に送り込む給紙ローラー９３と、給紙ローラー９３の下流側に位置し、インクジェットヘッド８３に対面する媒体規制部材（プラテンに相当する）９５と、媒体規制部材９５の下流側に位置する鋸歯状のガイドローラー９７と、ガイドローラー９７の下流側に位置し、排出口１００（図２参照）から記録媒体を送り出す排紙ローラー９６と、を備えている。
【００３１】
給紙ローラー９３は、下側の給紙駆動ローラー９３ａと上側の給紙従動ローラー９３ｂとから成るニップローラーで構成され、同様に排紙ローラー９６は、下側の排紙駆動ローラー９６ａと上側の排紙従動ローラー９６ｂとから成るニップローラーで構成されている。また、ガイドローラー９７および排紙従動ローラー９６ｂは、装置フレーム６４とは独立のローラーフレーム１１３に支持されて、ローラーアッセンブリー９９を構成している。そして、給紙ローラー９３は、記録媒体の送り（副走査）を制御するメインローラーとして機能し、排紙ローラー９６は、媒体規制部材９５の上側に位置する記録媒体に張力（ｔｅｎｓｉｏｎ）を付与するテンションローラーとして機能する。
【００３２】
分離ローラー９２により、用紙トレイ９１から送り込まれた記録媒体は、給紙ローラー９３により、媒体規制部材９５上を排紙ローラー９６に向かってＸ軸方向に間欠送りされる（副走査）。この間欠送りに同期して、キャリッジユニット７２がＸ軸方向に往復動しながらインクを選択的に吐出して（主走査）、所望の印刷が行われる。一方、媒体規制部材９５を越えてガイドローラー９７に達した記録媒体の先端は、ガイドローラー９７により上反り状態を矯正されるようにして、排紙ローラー９６に送り込まれる。このようにして、印刷が完了した記録媒体は、排紙ローラー９６により、排出口１００から前方に送り出される。
【００３３】
一方、図１および図２に示すように、スキャナーユニット３は、ヒンジ部４を介して回動し、プリンターユニット２の上面開口部１０を開閉自在に覆っている。すなわち、スキャナーユニット３を回動方向に引き上げることで、プリンターユニット２の上面開口部１０を露出させ、当該上面開口部１０を介して、プリンターユニット２の内部が露出させる（開放状態：図２参照）。一方、スキャナーユニット３を回動方向に引き降ろし、プリンターユニット２上に載置することで、スキャナーユニット３によって上面開口部１０を閉塞する（閉塞状態：図１参照）。このように、スキャナーユニット３を開放することで、インクカートリッジ８４の交換や紙詰まりの解消等が可能な構成となっている。
【００３４】
図５は、複合機１を示した側面視断面図である。図２および図５に示すように、スキャナーユニット３は、筐体であるアッパーフレーム１１と、アッパーフレーム１１に収容された画像読取部１２（図６参照）と、アッパーフレーム１１の上部に回動自在に支持された上蓋１３と、を備えている。また、アッパーフレーム１１の後端部には、上記ヒンジ部４のスキャナーユニット３側の部品が設けられている。
【００３５】
図６は、スキャナーユニット３の内部構造を示した斜視図である。図５および図６に示すように、アッパーフレーム１１は、画像読取部１２を収容する箱型の下ケース１６と、下ケース１６の天面を覆う上ケース１７と、を備えている。上ケース１７には、ガラス製の原稿載置板（原稿台）２１が広く配設されており、読取面を下にした読取媒体をこれに載置する。一方、下ケース１６は、上面を開放した浅い箱状に形成されている。下ケース１６の前部底面には、後述のセンサーキャリッジ３２の移動スペースとなる許容凹部２３が凹設され、後部底面には、一端が後述のセンサーユニット３１に接続されたケーブル（図示省略）を収容する収容凹部２５が凹設されている。
【００３６】
図６に示すように、画像読取部１２は、ラインセンサー方式のセンサーユニット３１と、センサーユニット３１を搭載したセンサーキャリッジ３２と、Ｙ軸方向に延在し、センサーキャリッジ３２をスライド自在に支持するガイド軸３３と、センサーキャリッジ３２をガイド軸３３に沿って移動する自走式のセンサー移動機構（移動手段）３４と、を備えている。センサーユニット３１は、Ｘ軸方向に延在したＣＣＤ（Ｃｈａｒｇｅ  Ｃｏｕｐｌｅｄ  Ｄｅｖｉｃｅ）方式のラインセンサーであるイメージセンサー（読取手段）４１を有し、モーター駆動のセンサー移動機構３４により、ガイド軸３３に沿ってＹ軸方向（走査方向）に往復動する。これにより、原稿載置板２１上の読取媒体（原稿）の画像を読み取るようになっている。すなわち、スキャナーユニット３は、フラットヘッドスキャナーで構成されている。なお、イメージセンサーとして、ＣＯＭＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）方式のラインセンサーを用いても良い。
【００３７】
イメージセンサー４１は、原稿載置板２１を挟んで読取媒体の読取面に対面するように配設され、読取面上の画像を読み取る。また、原稿載置板２１を挟んで対面した後述の校正基準器５７を撮像して、イメージセンサー４１の色校正および位置校正を行う。なお、イメージセンサー４１は、付勢バネ４４（図９参照）によって原稿載置板２１側に付勢され、位置決めされている。
【００３８】
センサーキャリッジ３２は、センサーユニット３１と、センサーモーター５３を含むセンサー移動機構３４の一部とを搭載すると共に、ガイド軸３３に係合するスライダー部４３を有して、ガイド軸３３にスライド自在に支持されている。
【００３９】
センサー移動機構３４は、下ケース１６に取り付けられ、ガイド軸３３に対し並行に延在するラック５１と、センサーキャリッジ３２に搭載され、ラック５１に噛み合うピニオン５２と、同じくセンサーキャリッジ３２に搭載され、ピニオン５２を駆動するセンサーモーター５３と、を備えている。センサーモーター５３を駆動することで、ラック５１上をピニオン５２が走行し、これによって、センサーキャリッジ３２、ひいてはセンサーユニット３１をガイド軸３３に沿って移動する。
【００４０】
図７は、上蓋１３を下方から見上げた下面図である。図７に示すように、上蓋１３には、原稿載置板２１に対応して配設された白色の原稿押え板５６と、原稿押え板５６に対しＹ軸方向（走査方向）に隣接して配設され、センサーユニット３１の校正基準となる校正基準器５７と、が配設されている。原稿押え板５６は、画像を記録する記録エリアに配設されており、校正基準器５７は、記録エリアからＹ軸方向（走査方向）の外側に外れた退避エリア（イメージセンサー４１のホームポジション側）に配設されている。すなわち、センサーユニット３１を退避エリアに移動させて、センサーユニット３１の色校正および位置校正が行われる。
【００４１】
次に図８ないし図１０を参照して、校正基準器５７および校正基準器５７周りの構造について、詳細に説明する。図８は、校正基準器５７周りを示した下面図である。図９は、校正基準器周り５７周りを示した側面簡略図である。図８および図９に示すように、校正基準器５７は、上蓋１３の下面に添設して取り付けられ、位置基準マーク１２６を有する校正基準板１１１と、位置基準マーク１２６の背面側に添設され、上蓋１３の下面に埋め込まれたコントラストシート１１２と、を備えている。
【００４２】
図１０は、センサーユニット３１と校正基準板１１１との位置関係を示した斜視図である。図９および図１０に示すように、校正基準板１１１は、一体に形成された部材であり、イメージセンサー４１の長さに対応する長さを有して、帯状に形成されている。そして、イメージセンサー４１に対し、原稿載置板２１を介して対峙するように配設されている。すなわち、校正基準板１１１は、表面を下にして、イメージセンサー４１のセンサー面全域に対面する。また、校正基準板１１１は、上蓋１３上に形成された位置決め溝１２０上に配設されている。さらに、校正基準板１１１は、位置基準マーク１２６を除いた表面領域が基準白色に彩色されている。
【００４３】
図８に示すように、校正基準板１１１は、Ｙ軸方向に並んで、イメージセンサー４１の色校正の基準（基準色）を表示する色基準部１２１と、イメージセンサー４１の位置校正の基準（基準位置）を表示する位置基準部１２２と、を一体に有している。位置基準部１２２は、読取エリア側に、色基準部１２１は、記録エリアの逆側に形成されている。
【００４４】
色基準部１２１は、表面全域が基準色である基準白色に彩色されており、これを表示する。厳密には、上記したように、位置基準マーク１２６を除く校正基準板１１１の表面全域は、基準白色に彩色されている。すなわち、色基準部１２１の基準色に合わせて、校正基準板５７の表面全域が彩色されている形となっている。
【００４５】
位置基準部１２２は、記録エリア側端部において、校正基準板１１１の一部を除去して形成された位置基準マーク１２６を有している。位置基準マーク１２６は、校正基準板１１１の記録エリア側端部に沿って隣接した３つの方形除去部１２６ａによって構成されている。各方形除去部１２６ａは、イメージセンサー４１の走査方向（Ｙ軸方向）に延在する辺と、走査方向に直交した方向（Ｘ軸方向）に延在する辺と、で構成されており、校正基準板１１１の端部に凹状形成されている。すなわち、当該各辺が、Ｘ軸方向およびＹ軸方向の基準位置となる。校正基準板１１１は、位置基準マーク１２６を除いて基準白色に彩色されているため、当該基準白色が位置基準マーク１２６の背景色となる。
【００４６】
コントラストシート１１２は、位置基準マーク１２６の背面側に沿設されており、除去して形成された位置基準マーク１２６内を彩色する。具体的には、コントラストシート１１２は、位置基準マーク１２６の背景色である基準白色に対し、高いコントラストを有した黒色に彩色されている。すなわち、背景色に対し、コントラストを強調する色に彩色されている。なお、厳密には、コントラストシート１１２は、位置基準マーク１２６を含む位置基準マーク１２６周りの領域（浅い溝となっている）に敷設されている。また、位置基準マーク１２６のＸ軸方向の配置位置は、イメージセンサー４１内の単一のＣＣＤアレイによって、読み取れる位置になっている。
【００４７】
ここでスキャナーユニット３による校正処理について詳細に説明する。上記したように、イメージセンサー４１によって校正基準器５７を撮像することで、イメージセンサー４１の色校正および位置校正が行われる。電源ＯＮ時には、色校正および位置校正を行い、一方、各画像読取処理の前には、色校正のみを行う。具体的には、色校正では、退避エリアを走査して校正基準板１１１の色基準部１２１を撮像し、基準白色（基準色）を読み取る。そして、この読取データに基づいて、イメージセンサー４１の輝度の誤差を補正する（シェーディング補正）。一方、位置校正では、退避エリアを走査して、校正基準板１１１の位置基準部１２２を撮像し、Ｘ軸方向およびＹ軸方向の基準位置（位置基準マーク１２６の各辺）を読み取る。そして、この読取データに基づいて、イメージセンサー４１のホームポジションの位置（位置基準マーク１２６におけるＸ・Ｙ軸方向の特定の縁端位置）を検出する。
【００４８】
以上のような構成によれば、校正基準板１１１が、色基準部１２１および位置基準部１２２を一体に有しているため、位置校正用と色校正用との２枚の校正基準板１１１を必要とせず、校正基準器５７を、単一の校正基準板１１１で構成することができる。特に、剛性のために位置校正用の校正基準板１１１に形成されていた走査方向前後の余白を省略することができる。ゆえに、校正基準器５７をコンパクトにすることができ、その配設エリアを小さくすることができる。よって、校正基準器５７を配設する部材および装置全体をコンパクトにすることができる。また、校正基準器５７を、単一の校正基準板１１１で構成することができるため、部品点数および組付け工数を削減することができる。
【００４９】
また、校正基準板１１１が、イメージセンサー４１の長さに対応する長さを有していることにより、校正基準板１１１に対し、イメージセンサー４１全体を同時に対面させることができるため、イメージセンサー４１全体で色校正することができる。よって、色校正を効果的に行うことができる。
【００５０】
さらに、位置基準マーク１２６を除いた校正基準板１１１の表面全域が、色基準部１２１と同色に彩色されているため、色基準部１２１に対する基準色の彩色と、位置基準部１２２に対する背景色の彩色とを一体で行うことができる。ひいて言えば、色基準部１２１と位置基準部１２２とを一体として成形することができる。よって、製造工程を簡易化することができる。
【００５１】
またさらに、位置基準マーク１２６を、校正基準板１１１の一部を除去して形成することにより、例えば、位置基準マーク１２６を印刷する場合などに比べ、位置基準マーク１２６の形成を簡易化することができる。なお、一部を除去して形成する方法としては、射出成形の際に予め当該部分が除去されるように成形するものであっても良いし、校正基準板１１１から切り抜くものであっても良い。
【００５２】
また、一部除去して形成した位置基準マーク１２６を彩色するコントラストシート１１２を設けることで、背景色と位置基準マーク１２６とのコントラストを向上することができる。よって、背景と位置基準マーク１２６との境界線をより明確に表示することができ、位置校正の精度を向上することができる。
【００５３】
さらに、色基準部１２１を、反射率が極端に高い白色に彩色し、これを基準色とすることで、色校正の精度を向上することができる。
【００５４】
なお、本実施形態においては、位置基準マーク１２６を、校正基準板１１１の一部を除去して形成したが、位置基準マーク１２６を、校正基準板１１１表面に印刷して形成しても良いし、校正基準板１１１表面を凹設して形成しても良い。
【００５５】
また、本実施形態においては、白色を基準色として、色校正（輝度補正）を行うものであったが、これに限るものではない。例えば、色の三原色を基準色として、色相や彩度を補正するものであっても良い。
【００５６】
さらに、本実施形態においては、校正基準板１１１を、一体に形成した部材で構成しているが、色基準部１２１と位置基準部１２２とを別々に形成し、これらを結合して一体の校正基準板１１１を構成するものであっても良い。
【符号の説明】
【００５７】
１：複合機、  ２：プリンターユニット、  ３：スキャナーユニット、  ３４：センサー移動機構、  ５２：イメージセンサー、  ５７：校正基準器、  １１１：校正基準板、  １１２：コントラストシート、  １２１：色基準部、  １２２：位置基準部、  １２６：位置基準マーク
【図１】
2012109703.tif 000003
【図２】
2012109703.tif 000004
【図３】
2012109703.tif 000005
【図４】
2012109703.tif 000006
【図５】
2012109703.tif 000007
【図６】
2012109703.tif 000008
【図７】
2012109703.tif 000009
【図８】
2012109703.tif 000010
【図９】
2012109703.tif 000011
【図１０】
2012109703.tif 000012